(57)【要約】  同軸ケーブルから脱落することを抑制できる同軸コネクタを提供することである。  中心導体（２２４）、発泡構造又は中空構造を有する絶縁体（２２３）、外部導体（２２２）及び絶縁被膜（２２１）により構成されている同軸ケーブル（２２０）に取り付けられる同軸コネクタ（１０）。ハウジング（１２）は、円筒部（２０）、及び、円筒部（２０）からｘ軸方向に向かって延在している保持部（２３）を含んでいる。ブッシング（１４）は、ハウジング（１２）に取り付けられている。ソケット（１６）は、ｚ軸方向から平面視したときに円筒部（２０）の中心に位置し、中心導体（２２３）と接続される。保持部（２３）は、外部導体（２２２）を保持するかしめ部（２８）と、絶縁被膜（２２１）を保持するかしめ部（３０）と、を有している。かしめ部（３０）が絶縁被膜（２２１）に接触する面には、突起（６０）が設けられている。
2013058015.tif 000002
【特許請求の範囲】
【請求項１】
第１の中心導体、該第１の中心導体の周囲に設けられている絶縁体であって、発泡構造又は中空構造を有する絶縁体、該絶縁体の周囲に設けられている第１の外部導体、及び、該第１の外部導体の周囲に設けられている絶縁被膜により構成されている同軸ケーブルであって、先端において該絶縁被膜が除去されて前記第１の外部導体が露出していると共に該第１の外部導体が除去されて該絶縁体が露出している同軸ケーブルに取り付けられる同軸コネクタであって、
前記同軸ケーブルが延在している延在方向に略直交する中心軸を有する円筒部、及び、該円筒部から該同軸ケーブルに沿って延在している保持部を含んでいるハウジングと、
前記ハウジングに取り付けられているブッシングと、
中心軸が延在する方向から平面視したときに前記円筒部の中心に位置し、かつ、前記ブッシングにより前記ハウジングと絶縁されているソケットであって、前記第１の中心導体と接続されるソケットと、
を備えており、
前記保持部は、
前記第１の外部導体を保持する第１のかしめ部と、
前記絶縁被膜を保持する第２のかしめ部と、
を有しており、
前記第２のかしめ部が前記絶縁被膜に接触する面には、突起が設けられていること、
を特徴とする同軸コネクタ。
【請求項２】
前記保持部は、
前記ブッシングを保持する第３のかしめ部を、
更に有していること、
を特徴とする請求項１に記載の同軸コネクタ。
【請求項３】
前記第２のかしめ部は、前記絶縁被膜の周囲に巻き付けられる板状部材であること、
を特徴とする請求項１又は請求項２のいずれかに記載の同軸コネクタ。
【請求項４】
前記第１のかしめ部及び前記第２のかしめ部における前記中心軸が延在している方向の幅は、該第１のかしめ部及び該第２のかしめ部における前記中心軸が延在している方向及び延在方向に直交する方向の幅よりも小さいこと、
を特徴とする請求項３に記載の同軸コネクタ。
【請求項５】
前記第２のかしめ部は、前記同軸ケーブルに巻き付けられる前の状態では、延在方向から平面視したときに円弧状をなす円弧部と、該円弧部の一端に接続された第１の直線部と、該円弧部の他端に接続された第２の直線部と、により構成されており、
前記突起は、前記円弧部と前記第１の直線部との境界及び該円弧部と前記第２の直線部との境界には設けられていないこと、
を特徴する請求項３又は請求項４のいずれかに記載の同軸コネクタ。
【請求項６】
前記突起は、前記第２のかしめ部が前記絶縁被膜を保持しているときに、該絶縁被膜の周囲を周回する筋状をなしていること、
を特徴とする請求項３ないし請求項５のいずれかに記載の同軸コネクタ。
【請求項７】
前記突起は、前記絶縁被膜に向かって尖っていること、
を特徴とする請求項１ないし請求項５のいずれかに記載の同軸コネクタ。
【請求項８】
前記突起は、突出している方向から平面視したときに、頂点が底辺よりも円筒部から離れている二等辺三角形状をなしており、
前記突起において前記絶縁被膜に向かって最も突出している部分は、前記底辺の中点であること、
を特徴とする請求項７に記載の同軸コネクタ。
【請求項９】
前記突起は、複数設けられていること、
を特徴とする請求項８に記載の同軸コネクタ。
【請求項１０】
前記円筒部には、レセプタクルの円筒状の第２の外部導体が挿入され、
前記ソケットには、レセプタクルの第２の中心導体が接続されること、
を特徴とする請求項１ないし請求項９のいずれかに記載の同軸コネクタ。
【発明の詳細な説明】
【技術分野】
【０００１】
本発明は、同軸コネクタに関し、より特定的には、同軸ケーブルの先端に取り付けられる同軸コネクタに関する。
【背景技術】
【０００２】
従来の同軸コネクタとしては、例えば、特許文献１に記載のＬ型同軸コネクタが知られている。図１３は、特許文献１に記載のＬ型同軸コネクタ１１０の分解斜視図である。【０００３】
図１３に示すように、ハウジング１１２は、外部導体２２２と接続されている。ブッシング１１４は、ハウジング１１２に取り付けられている。ソケット１１６は、ブッシング１１４に取り付けられ、かつ、該ブッシング１１４によりハウジング１１２と絶縁されている。ハウジング１１２は、折り曲げられることにより該ブッシング１１４に圧接しているかしめ部１２６と、折り曲げられることにより同軸ケーブル２２０の絶縁被膜２２１に圧接しているかしめ部１３０と、を含んでいる。ブッシング１１４は、かしめ部１２６からの力により、絶縁体２２３に圧接している。ソケット１１６は、ブッシング１１４からの力により、絶縁体２２３を破壊して中心導体２２４と接続されている。【０００４】
ところで、近年、同軸ケーブル２２０において、発泡構造又は中空構造を有する絶縁体２２３を用いることが提案されている。これにより、絶縁体２２３の誘電率が低くなるので、外部導体２２２と中心導体２２４とを近づけることが可能となる。その結果、中心導体２２４の直径を大きくすることによって、同軸ケーブル２２０の特性インピーダンスを所望の値から変動させることなく、同軸ケーブル２２０の導体損を低減することができる。【０００５】
しかしながら、発泡構造又は中空構造を有する絶縁体２２３が用いられた同軸ケーブル２２０では、同軸ケーブル２２０の弾性が小さくなる。そのため、かしめ部１２６，１３０により同軸ケーブル２２０を保持すると、同軸ケーブル２２０からの反発力が小さいために、同軸ケーブル２２０がＬ型同軸コネクタ１１０から抜けてしまうおそれがある。【０００６】
そこで、かしめ部１２６，１３０をより強い力で同軸ケーブル２２０に圧接させることが考えられる。ところが、発泡構造又は中空構造を有している絶縁体２２３は変形しやすいため、同軸ケーブル２２０にかしめ部１２６，１３０が圧接している部分において同軸ケーブル２２０が変形してしまい、同軸ケーブル２２０の特性インピーダンスが所望の値から変動してしまう。
【先行技術文献】
【特許文献】
【０００７】
【特許文献１】特開２０１０−６７４２５号公報
【発明の概要】
【発明が解決しようとする課題】
【０００８】
そこで、本発明の目的は、発泡構造又は中空構造を有する絶縁体を有する同軸ケーブルから脱落することを抑制できる同軸コネクタを提供することである。
【課題を解決するための手段】
【０００９】
本発明の一形態に係る同軸コネクタは、第１の中心導体、該第１の中心導体の周囲に設けられている絶縁体であって、発泡構造又は中空構造を有する絶縁体、該絶縁体の周囲に設けられている第１の外部導体、及び、該第１の外部導体の周囲に設けられている絶縁被膜により構成されている同軸ケーブルであって、先端において該絶縁被膜が除去されて前記第１の外部導体が露出していると共に該第１の外部導体が除去されて該絶縁体が露出している同軸ケーブルに取り付けられる同軸コネクタであって、前記同軸ケーブルが延在している延在方向に略直交する中心軸を有する円筒部、及び、該円筒部から該同軸ケーブルに沿って延在している保持部を含んでいるハウジングと、前記ハウジングに取り付けられているブッシングと、中心軸が延在する方向から平面視したときに前記円筒部の中心に位置し、かつ、前記ブッシングにより前記ハウジングと絶縁されているソケットであって、前記第１の中心導体と接続されるソケットと、を備えており、前記保持部は、前記第１の外部導体を保持する第１のかしめ部と、前記絶縁被膜を保持する第２のかしめ部と、を有しており、前記第２のかしめ部が前記絶縁被膜に接触する面には、突起が設けられていること、を特徴とする。
【発明の効果】
【００１０】
本発明によれば、同軸コネクタが発泡構造又は中空構造を有する絶縁体を有する同軸ケーブルから脱落することを抑制できる。
【図面の簡単な説明】
【００１１】
【図１】本発明の一実施形態に係る同軸コネクタの外観斜視図である。
【図２】同軸コネクタの分解斜視図である。
【図３】同軸コネクタの断面構造図である。
【図４】同軸コネクタのハウジングの組立て途中における斜視図である。
【図５】同軸コネクタの組立て途中における分解斜視図である。
【図６】同軸コネクタの組立て途中における分解斜視図である。
【図７】第１の変形例に係る同軸コネクタの分解斜視図である。
【図８】第２の変形例に係る同軸コネクタの外観斜視図である。
【図９】図１の同軸コネクタをｙ軸方向から平面視した図である。
【図１０】図８の同軸コネクタをｙ軸方向から平面視した図である。
【図１１】かしめ部が同軸ケーブルに巻き付けられていない状態での同軸コネクタをｘ軸方向から平面視した図である。
【図１２】かしめ部が同軸ケーブルに巻き付けられていない状態での同軸コネクタをｘ軸方向から平面視した図である。
【図１３】特許文献１に記載のＬ型同軸コネクタの分解斜視図である。
【発明を実施するための形態】
【００１２】
以下に、本発明の一実施形態に係る同軸コネクタについて、図面を参照して説明する。
【００１３】
（同軸コネクタの構成）
図１は、本発明の一実施形態に係る同軸コネクタ１０の外観斜視図である。図２は、同軸コネクタ１０の分解斜視図である。図３は、同軸コネクタ１０の断面構造図である。図４は、同軸コネクタ１０のハウジング１２の組立て途中における斜視図である。図１ないし図３（特に、図２参照）において、ハウジング１２、ブッシング１４及びソケット１６が重ねられる方向をｚ軸方向とする。ｚ軸方向の正方向は、ハウジング１２からソケット１６へと向かう方向である。また、同軸ケーブル２２０が延在している方向をｘ軸方向とし、ｘ軸方向とｚ軸方向に直交する方向をｙ軸方向とする。ｘ軸方向の正方向は、同軸ケーブル２２０からソケット１６へと向かう方向である。ｘ軸方向は、ｚ軸方向に直交している。
【００１４】
同軸コネクタ１０は、図１及び図２に示すように、ハウジング１２、ブッシング１４及びソケット１６により構成されている。同軸コネクタ１０は、図３（ａ）及び図３（ｂ）に示すように、外部導体２３２及び中心導体２３４を有するレセプタクル２３０に対して、着脱可能である。
【００１５】
同軸ケーブル２２０は、図２に示すように、絶縁被膜２２１、外部導体２２２、絶縁体２２３及び中心導体２２４により構成されている。絶縁体２２３は、中心導体２２４の周囲に設けられており、発泡構造又は中空構造を有する。したがって、絶縁体２２３は、低い反発力しか有しておらず、比較的容易に変形する。外部導体２２２は、絶縁体２２３の周囲に設けられている。絶縁被膜２２１は、外部導体２２２の周囲に設けられている。また、同軸ケーブル２２０の先端において絶縁被膜２２１が除去されて外部導体２２２が露出している。更に、同軸ケーブル２２０の先端において外部導体２２２が除去されて絶縁体２２３が露出している。
【００１６】
ハウジング１２は、１枚の金属板（例えば、ばね用りん青銅）により作製され、図２及び図４に示すように、円筒部２０、背面部２１、保持部２３及び固定部２４を含んでいる。
【００１７】
円筒部２０は、ｚ軸方向に延在する中心軸を有しており、図４に示すように、ｚ軸方向の正方向側に位置する開口Ｏ１及びｚ軸方向の負方向側に位置する開口Ｏ２を有している。ただし、円筒部２０は、一部（ｘ軸方向の負方向側の部分）が切り欠かれている。
【００１８】
背面部２１は、円筒部２０に接続されており、図４の状態から９０度だけ折り曲げられて、図２に示すように、円筒部２０の開口Ｏ２を覆う板状部材である。背面部２１上には、ブッシング１４が載置される。
【００１９】
固定部２４は、円筒部２０に接続され、図２に示すように、ブッシング１４をｙ軸方向の両側から挟んでいる。固定部２４は、図４に示すように、ｚ軸方向の正方向側から開口Ｏ１を平面視したときに、円筒部２０の端部のそれぞれに設けられている。より詳細には、２つの固定部２４は、円筒部２０が切り欠かれることにより形成される２つの端部からｘ軸方向の負方向側へと延在し、互いに対向している板状部材である。
【００２０】
また、固定部２４には、湾曲部３３が設けられている。湾曲部３３は、図４に示すように、固定部２４の間隔が広がるように固定部２４の一部がｙ軸方向の正方向側又は負方向側に湾曲させられることにより形成されている。
【００２１】
保持部２３は、図１及び図２に示すように、円筒部２０から同軸ケーブル２２０に沿って延在しており、具体的には、背面部２１のｘ軸方向の負方向側に接続されている。保持部２３は、図４に示すように、かしめ部２６，２８，３０を有している。
【００２２】
かしめ部２６は、同軸コネクタ１０の組立て前の状態において、図２に示すように、背面部２１のｘ軸方向の負方向側に設けられているＵ字状の板状部材である。かしめ部２６は、図１に示すように曲げられることにより、ブッシング１４、固定部２４及び絶縁体２２３の周囲に巻き付けられている。これにより、かしめ部２６は、ブッシング１４、固定部２４及び絶縁体２２３に圧接する。この際、固定部２４は、かしめ部２６に押されてブッシング１４に圧接する。よって、固定部２４及びかしめ部２６は、ブッシング１４を保持している。以上より、かしめ部２６は、ブッシング１４、ソケット１６及び同軸ケーブル２２０をハウジング１２に固定する役割を果たす。
【００２３】
かしめ部２８は、同軸コネクタ１０の組立て前の状態において、図４に示すように、かしめ部２６のｘ軸方向の負方向側に設けられているＵ字状の板状部材である。かしめ部２８は、図１に示すように曲げられることにより、外部導体２２２の周囲に巻き付けられて、同軸ケーブル２２０の外部導体２２２を保持する。これにより、かしめ部２８は、同軸ケーブル２２０をハウジング１２に固定する役割、及び、外部導体２２２とハウジング１２とを電気的に接続する役割を果たす。
【００２４】
かしめ部３０は、同軸コネクタ１０の組立て前の状態において、図４に示すように、かしめ部２８のｘ軸方向の負方向側に設けられているＵ字状の板状部材である。かしめ部３０は、図１に示すように曲げられることにより、絶縁被膜２２１の周囲に巻き付けられて、同軸ケーブル２２０の絶縁被膜２２１を保持する。これにより、かしめ部３０は、同軸ケーブル２２０をハウジング１２に固定する役割を果たす。
【００２５】
更に、かしめ部３０が絶縁被膜２２１に接触する面には、図１、図２及び図４に示すように、絶縁被膜２２１に向かって突出する複数（３つ）の突起６０が設けられている。より詳細には、突起６０は、かしめ部３０が絶縁被膜２２１に巻き付けられたときに、絶縁被膜２２１の周方向に等間隔に位置するように設けられている。また、突起６０は、突出している方向から平面視したときに、頂点が底辺よりも円筒部２０から離れている（すなわち、ｘ軸方向の負方向側に位置している）二等辺三角形状をなしている。そして、突起６０において、絶縁被膜２２１に向かって最も突出している部分は、二等辺三角形の底辺の中点である。また、突起６０は、絶縁被膜２２１に向かって尖った形状をなしている。その結果、かしめ部３０が絶縁被膜２２１に巻き付けられると、突起６０は絶縁被膜２２１に突き刺さる、又は、食い込むようになる。
【００２６】
ブッシング１４は、樹脂（例えば、液晶ポリマー）からなる絶縁体により構成されており、ハウジング１２とソケット１６とを絶縁する役割を果たしている。ブッシング１４は、ハウジング１２に取り付けられており、図２に示すように、円形部３６及び保持部３８により構成されている。
【００２７】
円形部３６は、ソケット１６を保持する役割を果たし、図２に示すように、背面部３９及び円筒部４１により構成されている。背面部３９は、ｚ軸方向から平面視したときに、円形をなす板状部材であり、ブッシング１４がハウジング１２に取り付けられた際に、図１に示すように、円筒部２０内に収まっている部分である。
【００２８】
円筒部４１は、図２に示すように、背面部３９のｚ軸方向の正方向側の面上に設けられており、ｚ軸方向に延在する中心軸を有している。円筒部４１の中心軸と円筒部２０の中心軸とは略一致している。
【００２９】
保持部３８は、ソケット１６を保持する役割を果たし、図２に示すように、背面部４２及び押さえ部４６により構成されている。背面部４２は、円形部３６の背面部３９からｘ軸方向の負方向側に向かって延在している長方形状の板状部材である。該背面部４２上には、図２に示すように、ソケット１６が載置される。
【００３０】
押さえ部４６は、ｘ軸方向に垂直な板状部材であり、背面部４２に設けられている。ただし、押さえ部４６のｚ軸方向の負方向側の端部と背面部４２のｚ軸方向の正方向側の面との間には隙間Ｓｐが設けられている。同様に、円筒部４１と背面部４２のｚ軸方向の正方向側の面との間にも隙間Ｓｐが設けられている。これにより、押さえ部４６のｘ軸方向の負方向側の空間と円筒部４１内とが隙間Ｓｐを介して連通している。
【００３１】
また、ブッシング１４は、図２に示すように、２つに分離可能である。具体的には、ブッシング１４は、ｙ軸方向の正方向側の半分とｙ軸方向の負方向側の半分にＶ字型に分かれる。これにより、後述するソケット１６がブッシング１４に取り付けられることが可能である。
【００３２】
ソケット１６は、１枚の金属板（例えば、ばね用りん青銅）により作製され、図１及び図２に示すように、ブッシング１４に取り付けられ、該ブッシング１４によりハウジング１２と絶縁されている。該ソケット１６は、図２に示すように、円筒部４８、背面部５０及び取り付け部５２により構成されている。円筒部４８は、図２に示すように、背面部５０のｘ軸方向の正方向側に接続されており、ｚ軸方向から平面視したときに、円環の一部が切り欠かれた形状を有している。円筒部４８の半径は、ブッシング１４の円筒部４１の半径よりも小さい。よって、円筒部４８は、同軸コネクタ１０が組立てられた際に、図１に示すように、円筒部４１内に収まっている。更に、円筒部４１は、円筒部２０の中心軸が延在する方向（ｚ軸方向）から平面視したときに円筒部２０の中心に位置している。
【００３３】
背面部５０は、円筒部４１から隙間Ｓｐを通過するように、ｘ軸方向の負方向側に延在している板状部材である。取り付け部５２は、背面部５０のｘ軸方向の負方向側の端部において、ｚ軸方向の正方向側に垂直に折り曲げられることにより設けられており、同軸ケーブル２２０の中心導体２２４と接続される。より詳細には、取り付け部５２は、所定の隙間を介して並ぶ２枚の切断用片５２ａ，５２ｂにより構成されている。そして、同軸ケーブル２２０の中心導体２２４が切断用片５２ａ，５２ｂの間の所定の隙間に挟まれるように、ｚ軸方向の正方向側から負方向側へと、同軸ケーブル２２０がかしめ部２６により切断用片５２ａ，５２ｂに押さえつけられる。これにより、切断用片５２ａ，５２ｂは、かしめ部２６からの力により同軸ケーブル２２０の絶縁体２２３に圧接する。そして、切断用片５２ａ，５２ｂは、同軸ケーブル２２０の絶縁体２２３の一部を切断（破壊）して、中心導体２２４と接続される。
【００３４】
以上のように構成された同軸コネクタ１０は、以下に説明する手順により組立てられる。図５及び図６は、同軸コネクタ１０の組立て途中における分解斜視図である。
【００３５】
まず、図５に示すように、ブッシング１４に対してソケット１６を取り付ける。より詳細には、円筒部４１内に円筒部４８が収まると共に、背面部５０が隙間Ｓｐに収まるように、ブッシング１４によりソケット１６をｙ軸方向の両側から挟み込む。
【００３６】
次に、図６に示すように、ハウジング１２に対してブッシング１４を取り付ける。より詳細には、円筒部２０内に円形部３６が収まると共に、固定部２４間に保持部３８が収まるように、ｚ軸方向の正方向側からブッシング１４をハウジング１２に対して押し込むようにして取り付ける。
【００３７】
次に、図６に示すように、同軸ケーブル２２０を取り付け部５２上に載置する。この際、同軸ケーブル２２０は、先端において、外部導体２２２及び絶縁体２２３が露出するように加工されている。ただし、中心導体２２４は、露出していない。絶縁体２２３が取り付け部５２上に位置し、外部導体２２２がかしめ部２８間に位置し、絶縁被膜２２１がかしめ部３０間に位置するように、同軸ケーブル２２０をソケット１６に載置する。
【００３８】
同軸ケーブル２２０を載置すると、かしめ部２６，２８，３０のかしめ工程を行う。かしめ部２６のかしめ工程では、かしめ部２６を折り曲げることにより、絶縁体２２３を切断用片５２ａ，５２ｂに押し付ける。この際、絶縁体２２３の一部が切断用片５２ａ，５２ｂにより切断され、切断用片５２ａ，５２ｂと中心導体２２４とが接続される。
【００３９】
また、かしめ部２８のかしめ工程では、かしめ部２８を折り曲げることにより、かしめ部２８を外部導体２２２に巻き付ける。同様に、かしめ部３０のかしめ工程では、かしめ部３０を折り曲げることにより、かしめ部３０を絶縁被膜２２１に巻き付ける。以上の工程を経て、同軸コネクタ１０は、図１に示すような構成を有するようになる。
【００４０】
次に、同軸コネクタ１０のレセプタクル２３０への着脱について説明する。レセプタクル２３０は、図３に示すように、外部導体２３２及び中心導体２３４により構成されている。外部導体２３２は、円筒形状の電極である。中心導体２３４は、外部導体２３２の中心においてｚ軸方向の負方向側に突出している電極である。
【００４１】
前記同軸コネクタ１０をレセプタクル２３０に装着する際には、図３（ａ）及び図３（ｂ）に示すように、外部導体２３２を開口Ｏ１から円筒部２０に挿入する。これにより、円筒部２０の内周面と外部導体２３２の外周面とが接触し、同軸ケーブル２２０の外部導体２２２とレセプタクル２３０の外部導体２３２とがハウジング１２を介して電気的に接続されるようになる。この際、円筒部２０は、外部導体２３２により押し広げられる。これにより、円筒部２０の内周面が、外部導体２３２の外周面に圧接するようになり、同軸コネクタ１０がレセプタクル２３０から容易に外れることが防止されている。
【００４２】
また、外部導体２３２が円筒部２０に挿入されると同時に、図３（ａ）及び図３（ｂ）に示すように、中心導体２３４がソケット１６の円筒部４８に挿入される。これにより、中心導体２３４の外周面と円筒部４８の内周面とが接触し、同軸ケーブル２２０の中心導体２２４とレセプタクル２３０の中心導体２３４とがソケット１６を介して電気的に接続されるようになる。
【００４３】
（効果）
以上のように構成された同軸コネクタ１０によれば、発泡構造又は中空構造を有する絶縁体２２３を有する同軸ケーブル２２０から脱落することを抑制できる。より詳細には、発泡構造又は中空構造を有する絶縁体２２３が用いられた同軸ケーブル２２０では、同軸ケーブル２２０の弾性が小さくなる。そのため、かしめ部１２６，１３０により同軸ケーブル２２０を保持すると、同軸ケーブル２２０からの反発力が小さいために、同軸ケーブル２２０がＬ型同軸コネクタ１１０から抜けてしまうおそれがある。
【００４４】
そこで、同軸コネクタ１０では、かしめ部３０が絶縁被膜２２１に接触する面には、図１、図２及び図４に示すように複数の突起６０が設けられている。これにより、突起６０は、かしめ部３０が絶縁被膜２２１に巻き付けられたときに、絶縁被膜２２１に突き刺さる、又は、食い込むようになる。その結果、かしめ部３０を絶縁被膜２２１に圧接させる力を大きくしなくても、かしめ部３０が絶縁被膜２２１を十分に強く保持するようになる。よって、発泡構造又は中空構造を有する絶縁体２２３を有する同軸ケーブル２２０から同軸コネクタ１０が脱落することが抑制される。
【００４５】
また、同軸コネクタ１０では、突起６０は、突出している方向から平面視したときに、頂点が底辺よりも円筒部２０から離れている二等辺三角形状をなしている。そして、突起６０において、絶縁被膜２２１に向かって最も突出している部分は、二等辺三角形の底辺の中点である。これにより、同軸ケーブル２２０がｘ軸方向の負方向側に引っ張られた場合に、突起６０の底辺の部分が絶縁被膜２２１に引っかかるようになる。その結果、同軸コネクタ１０が同軸ケーブル２２０から脱落することがより効果的に抑制される。
【００４６】
（第１の変形例）
以下に、第１の変形例に係る同軸コネクタ１０ａについて図面を参照しながら説明する。図７は、第１の変形例に係る同軸コネクタ１０ａの分解斜視図である。
【００４７】
同軸コネクタ１０ａと同軸コネクタ１０との相違点は、突起６０の形状である。同軸コネクタ１０ａの突起６０は、図７に示すように、かしめ部３０が絶縁被膜２２１を保持しているときに、絶縁被膜２２１の周囲を周回する筋状をなしている。そして、複数本の突起６０は、図７に示すように、互いに平行となるように設けられている。
【００４８】
同軸コネクタ１０ａにおいても、同軸コネクタ１０と同様に、発泡構造又は中空構造を有する絶縁体２２３を有する同軸ケーブル２２０から脱落することが抑制される。
【００４９】
（第２の変形例）
以下に、第２の変形例に係る同軸コネクタ１０ｂについて図面を参照しながら説明する。図８は、第２の変形例に係る同軸コネクタ１０ｂの外観斜視図である。図９は、図１の同軸コネクタ１０をｙ軸方向から平面視した図である。図１０は、図８の同軸コネクタ１０ｂをｙ軸方向から平面視した図である。
【００５０】
同軸コネクタ１０ｂは、かしめ部２８，３０の構造において同軸コネクタ１０と相違する。より詳細には、同軸ケーブル２２０は、円形の断面構造をなしている。そのため、同軸コネクタ１０では、かしめ部２８，３０は、ｘ軸方向から平面視したときに、円形をなすように同軸ケーブル２２０に巻き付けられている。
【００５１】
一方、同軸コネクタ１０ｂでは、図８に示すように、かしめ部２８，３０のｚ軸方向の幅は、かしめ部２８，３０のｙ軸方向の幅よりも小さくなっている。すなわち、かしめ部２８，３０は、ｘ軸方向から平面視したときに、ｙ軸方向に平行な長軸を有する楕円形状をなすように、同軸ケーブル２２０に巻き付けられている。同軸コネクタ１０ｂでは、図１の同軸コネクタ１０のように、円形をなすようにかしめ部２８，３０を巻き付けた後に、ｚ軸方向の両側からかしめ部２８，３０を押しつぶしている。
【００５２】
以上のように構成された同軸コネクタ１０ｂでは、同軸コネクタ１０ｂが同軸ケーブル２２０から脱落することがより効果的に抑制される。より詳細には、同軸コネクタ１０ｂでは、図１に示す同軸コネクタ１０のかしめ部２８，３０に対して、更に、ｚ軸方向の両側からかしめ部２８，３０を押しつぶしている。これにより、かしめ部２８，３０は、同軸ケーブル２２０に食い込むようになり、同軸ケーブル２２０により強固に固定されるようになる。その結果、同軸コネクタ１０ｂが同軸ケーブル２２０から脱落することがより効果的に抑制される。
【００５３】
また、同軸コネクタ１０ｂでは、かしめ部２８，３０が回路基板２５０に接触することを抑制できる。より詳細には、同軸コネクタ１０ｂでは、図１に示す同軸コネクタ１０のかしめ部２８，３０に対して、更に、ｚ軸方向の両側からかしめ部２８，３０を押しつぶしている。これにより、かしめ部２８，３０のｚ軸方向の幅は、かしめ部２８，３０のｙ軸方向の幅よりも小さくなっている。そのため、図９及び図１０に示すように、同軸コネクタ１０ｂのかしめ部２８，３０のｚ軸方向の幅は、同軸コネクタ１０のかしめ部２８，３０のｚ軸方向の幅よりも小さくなっている。そのため、図１０に示すように、同軸コネクタ１０ｂがレセプタクル２３０に装着された際に、レセプタクル２３０が実装されている回路基板２５０とかしめ部２８，３０との間の隙間Ｇが大きくなる。そのため、回路基板２５０とかしめ部２８，３０とが接触しにくくなる。その結果、同軸コネクタ１０ｂをレセプタクル２３０に装着する際に、かしめ部２８，３０と回路基板２５０とが引っかかって、かしめ部２８，３０に応力が集中して、同軸コネクタ１０ｂが同軸ケーブル２２０から外れることが抑制される。また、かしめ部２８，３０が回路基板２５０に接触することによって、回路基板２５０が破損することが抑制される。更に、かしめ部２８，３０と回路基板２５０上のランドとが接触して、短絡が発生することが抑制される。
【００５４】
なお、かしめ部２８，３０をｚ軸方向から押しつぶす際に、かしめ部２８,３０に適度な力を加える必要がある。かしめ部２８，３０に加える力が大きすぎると、かしめ部２８，３０がｚ軸方向に大きく押しつぶされてしまう。この際、かしめ部２８，３０は、ｙ軸方向に広がろうとする。かしめ部２８，３０がｙ軸方向に広がると、同軸ケーブル２２０に対してｙ軸方向の両側から接触している突起６０が同軸ケーブル２２０から抜けてしまうおそれがある。よって、突起６０が同軸ケーブル２２０から抜けない程度に、かしめ部２８，３０を押しつぶすことが好ましい。なお、かしめ部２８，３０をｚ軸方向から押しつぶす際に、かしめ部２８，３０がｙ軸方向に広がらないように、かしめ部２８，３０をｙ軸方向の両側から押さえ付けることが好ましい。
【００５５】
（第３の変形例）
以下に、第３の変形例に係る同軸コネクタ１０ｃについて図面を参照しながら説明する。図１１は、かしめ部２８，３０が同軸ケーブル２２０に巻き付けられていない状態での同軸コネクタ１０ｃをｘ軸方向から平面視した図である。
【００５６】
かしめ部３０は、同軸ケーブル２２０に巻き付けられる前の状態では、円弧部３０ａと直線部３０ｂ，３０ｃとにより構成されている。円弧部３０ａは、ｘ軸方向から平面視したときに、円弧状をなしている。本実施形態では、円弧部３０ａは、ｚ軸方向の負方向側の突出する半円状をなしている。直線部３０ｂは、ｘ軸方向から平面視したときに、円弧部３０ａのｙ軸方向の正方向側の端部からｚ軸方向の正方向側に向かって直線状に延在している。直線部３０ｃは、ｘ軸方向から平面視したときに、円弧部３０ａのｙ軸方向の負方向側の端部からｚ軸方向の正方向側に向かって直線状に延在している。直線部３０ｂ，３０ｃのｙ軸方向の間隔は、ｚ軸方向の正方向側に行くにしたがって広がっている。
【００５７】
突起６０は、図１１に示すように、９つ設けられている。ただし、突起６０は、円弧部３０ａと直線部３０ｂとの境界Ａ及び円弧部３０ａと直線部３０ｃとの境界Ｂには設けられていない。
【００５８】
以上のように構成された同軸コネクタ１０ｃによれば、かしめ部３０にクラックが発生することが抑制される。より詳細には、突起６０は、かしめ部３０の外周面に対してプレス加工を施すことによって形成される。そのため、かしめ部３０の外周面において突起６０に対応する位置には、凹部が形成されている。よって、かしめ部３０において突起６０が設けられている部分の強度は、かしめ部３０のその他の部分の強度よりも低い。
【００５９】
一方、境界Ａ及び境界Ｂでは、かしめ部３０の曲率が変化している。そのため、かしめ部３０が同軸ケーブル２２０に巻き付けられると、境界Ａ及び境界Ｂに応力が集中する。したがって、境界Ａ及び境界Ｂに突起６０が設けられていると、かしめ部３０の境界Ａ及び境界Ｂにおいてクラックが発生するおそれがある。そこで、同軸コネクタ１０ｃでは、境界Ａ及び境界Ｂには突起６０が設けられていない。これにより、かしめ部３０にクラックが発生することが抑制される。
【００６０】
（第４の変形例）
以下に、第４の変形例に係る同軸コネクタ１０ｄについて図面を参照しながら説明する。図１２は、かしめ部２８，３０が同軸ケーブル２２０に巻き付けられていない状態での同軸コネクタ１０ｄをｘ軸方向から平面視した図である。
【００６１】
同軸コネクタ１０ｄは、突起６０の数において同軸コネクタ１０ｃと相違する。同軸コネクタ１０ｄでは、突起６０は、かしめ部３０の内周面におけるｚ軸方向の負方向側の部分及びかしめ部３０の内周面におけるｙ軸方向の両側の部分に設けられている。
【００６２】
図１２に示すように、同軸コネクタ１０ｄにおいて同軸コネクタ１０ｃよりも突起６０の数を減らすことにより、同軸コネクタ１０ｄを同軸コネクタ１０ｃよりも容易に加工できるようになる。また、かしめ部３０の強度が向上する。
【産業上の利用可能性】
【００６３】
以上のように、本発明は、同軸コネクタに有用であり、特に、同軸コネクタが発泡構造又は中空構造を有する絶縁体を有する同軸ケーブルから脱落することを抑制できる点において優れている。
【符号の説明】
【００６４】
１０，１０ａ〜１０ｄ  同軸コネクタ
１２  ハウジング
１４  ブッシング
１６  ソケット
２０  円筒部
２３  保持部
２６，２８，３０  かしめ部
６０  突起
２２０  同軸ケーブル
２２１  絶縁被膜
２２２  外部導体
２２３  絶縁体
２２４  中心導体
２３０  レセプタクル
２３２  外部導体
２３４  中心導体
【図１】
2013058015.tif 000003
【図２】
2013058015.tif 000004
【図３】
2013058015.tif 000005
【図４】
2013058015.tif 000006
【図５】
2013058015.tif 000007
【図６】
2013058015.tif 000008
【図７】
2013058015.tif 000009
【図８】
2013058015.tif 000010
【図９】
2013058015.tif 000011
【図１０】
2013058015.tif 000012
【図１１】
2013058015.tif 000013
【図１２】
2013058015.tif 000014
【図１３】
2013058015.tif 000015
【手続補正書】
【提出日】平成26年11月12日(2014.11.12)
【手続補正１】
【補正対象書類名】特許請求の範囲
【補正対象項目名】全文
【補正方法】変更
【補正の内容】
【特許請求の範囲】
【請求項１】
第１の中心導体、該第１の中心導体の周囲に設けられている絶縁体であって、発泡構造又は中空構造を有する絶縁体、該絶縁体の周囲に設けられている第１の外部導体、及び、該第１の外部導体の周囲に設けられている絶縁被膜により構成されている同軸ケーブルであって、先端において該絶縁被膜が除去されて前記第１の外部導体が露出していると共に該第１の外部導体が除去されて該絶縁体が露出している同軸ケーブルに取り付けられる同軸コネクタであって、
前記同軸ケーブルが延在している延在方向に略直交する中心軸を有する円筒部、及び、該円筒部から該同軸ケーブルに沿って延在している保持部を含んでいるハウジングと、
前記ハウジングに取り付けられているブッシングと、
中心軸が延在する方向から平面視したときに前記円筒部の中心に位置し、かつ、前記ブッシングにより前記ハウジングと絶縁されているソケットであって、前記第１の中心導体と接続されるソケットと、
を備えており、
前記保持部は、
前記第１の外部導体を保持する第１のかしめ部と、
前記絶縁被膜を保持する第２のかしめ部と、
を有しており、
前記第２のかしめ部が前記絶縁被膜に接触する面には、該絶縁被膜に向かって尖っている突起が設けられ、
前記突起は、突出している方向から平面視したときに、頂点が底辺よりも円筒部から離れている二等辺三角形状をなしており、
前記突起において前記絶縁被膜に向かって最も突出している部分は、前記底辺の中点であること、
を特徴とする同軸コネクタ。
【請求項２】
前記保持部は、
前記ブッシングを保持する第３のかしめ部を、
更に有していること、
を特徴とする請求項１に記載の同軸コネクタ。
【請求項３】
前記第２のかしめ部は、前記絶縁被膜の周囲に巻き付けられる板状部材であること、
を特徴とする請求項１又は請求項２のいずれかに記載の同軸コネクタ。
【請求項４】
前記第１のかしめ部及び前記第２のかしめ部における前記中心軸が延在している方向の幅は、該第１のかしめ部及び該第２のかしめ部における前記中心軸が延在している方向及び延在方向に直交する方向の幅よりも小さいこと、
を特徴とする請求項３に記載の同軸コネクタ。
【請求項５】
前記第２のかしめ部は、前記同軸ケーブルに巻き付けられる前の状態では、延在方向から平面視したときに円弧状をなす円弧部と、該円弧部の一端に接続された第１の直線部と、該円弧部の他端に接続された第２の直線部と、により構成されており、
前記突起は、前記円弧部と前記第１の直線部との境界及び該円弧部と前記第２の直線部との境界には設けられていないこと、
を特徴する請求項３又は請求項４のいずれかに記載の同軸コネクタ。
【請求項６】
前記突起は、複数設けられていること、
を特徴とする請求項１ないし請求項５に記載の同軸コネクタ。
【請求項７】
前記円筒部には、レセプタクルの円筒状の第２の外部導体が挿入され、
前記ソケットには、レセプタクルの第２の中心導体が接続されること、
を特徴とする請求項１ないし請求項６のいずれかに記載の同軸コネクタ。
【手続補正２】
【補正対象書類名】明細書
【補正対象項目名】０００９
【補正方法】変更
【補正の内容】
【０００９】
本発明の一形態に係る同軸コネクタは、第１の中心導体、該第１の中心導体の周囲に設けられている絶縁体であって、発泡構造又は中空構造を有する絶縁体、該絶縁体の周囲に設けられている第１の外部導体、及び、該第１の外部導体の周囲に設けられている絶縁被膜により構成されている同軸ケーブルであって、先端において該絶縁被膜が除去されて前記第１の外部導体が露出していると共に該第１の外部導体が除去されて該絶縁体が露出している同軸ケーブルに取り付けられる同軸コネクタであって、前記同軸ケーブルが延在している延在方向に略直交する中心軸を有する円筒部、及び、該円筒部から該同軸ケーブルに沿って延在している保持部を含んでいるハウジングと、前記ハウジングに取り付けられているブッシングと、中心軸が延在する方向から平面視したときに前記円筒部の中心に位置し、かつ、前記ブッシングにより前記ハウジングと絶縁されているソケットであって、前記第１の中心導体と接続されるソケットと、を備えており、前記保持部は、前記第１の外部導体を保持する第１のかしめ部と、前記絶縁被膜を保持する第２のかしめ部と、を有しており、前記第２のかしめ部が前記絶縁被膜に接触する面には、該絶縁被膜に向かって尖っている突起が設けられ、  前記突起は、突出している方向から平面視したときに、頂点が底辺よりも円筒部から離れている二等辺三角形状をなしており、前記突起において前記絶縁被膜に向かって最も突出している部分は、前記底辺の中点であること、を特徴とする。
【国際調査報告】
2013058015.tif 000016
2013058015.tif 000017
2013058015.tif 000018
2013058015.tif 000019